(57)【特許請求の範囲】
【請求項１】
蓋付円筒容器の器本体の開口縁に蓋の周縁を挟んで巻き付ける有端環状のリング、該リングの一側自由端に固定した第１留金具および他側自由端に固定した第２留金具からなる締付バンドと、締付レバーおよび該締付レバーの先端寄りのヒンジ部に回動自在に枢着したリンクからなる締付操作金具との２体に分割し、
第１留金具は、前記リングの一側自由端に固定する固定板部と前記操作レバーの先端を連結する連結板部からなり、該連結板部に連結穴を設ける一方、該連結穴に嵌脱自在に嵌合する連結ピンを前記締付レバーの先端に立設し、第２留金具は、前記リングの他側自由端に固定する固定板部および前記リンクの先端を掛け止める掛止め板部からなり、該掛止め板部に掛止め穴を設け、該掛止め穴に嵌脱自在に嵌合する掛止めピンを前記リンクの先端に立設し、それら穴とピンの嵌め合いで前記締付バンドに対して前記締付操作金具を着脱自在に取り付けると共に、
第１留金具の前記連結板部又は第２留金具の掛止め板部のいずれかに掛止凹部を設ける一方、他方には、該掛止凹部にフック部を掛けて前記締付バンドをロックするロック部材を回動自在に枢着し、該ロック部材で前記締付バンドをロックすると、該締付バンドから前記締付操作金具を穴とピンの嵌め合いを外して取り外し可能にすると共に、前記ロック部材の掛止凹部にボルト支持部分を設ける一方、該掛止凹部に前記ロック部材のフック部を掛けて前記締付バンドの締付状態をロックしたとき、前記ボルト支持部分と前記フック部を締付ボルトで螺着して前記締付バンドを更に締め足してなることを特徴とする、締付バンド装置。
【請求項２】
蓋付円筒容器の器本体の開口縁に蓋の周縁を挟んで巻き付ける有端環状のリング、該リングの一側自由端に固定した第１留金具および他側自由端に固定した第２留金具からなる締付バンドと、締付レバーおよび該締付レバーの先端のヒンジ部に回動自在に枢着したリンクからなる締付操作金具との２体に分割し、
第１留金具は、前記リングの一側自由端に固定する固定板部と前記リンクの先端を連結する連結板部からなり、該連結板部に連結穴を設ける一方、前記リンクには、該連結穴に嵌脱自在に嵌合する連結ピンを先端に立設し、第２留金具は、前記リングの他側自由端に固定する固定板部および前記締付レバーの先端を掛け止める掛止め板部からなり、該掛止め板部に掛止め穴を設け、前記締付レバーには、該掛止め穴に嵌脱自在に嵌合する掛止めピンを先端寄りの途中部位に立設し、それら穴とピンの嵌め合いで前記締付バンドに対して前記締付操作金具を着脱自在に取り付けると共に、
第１留金具の前記連結板部又は第２留金具の掛止め板部のいずれかに掛止凹部を設ける一方、他方には、該掛止凹部にフック部を掛けて前記締付バンドをロックするロック部材を回動自在に枢着し、該ロック部材で前記締付バンドをロックすると、該締付バンドから前記締付操作金具を穴とピンの嵌め合いを外して取り外し可能にしてなることを特徴とする、締付バンド装置。
【請求項３】
前記ロック部材は、前記第１留金具の前記連結板部又は前記第２留金具の掛止め板部に着脱自在に取り付けてなることを特徴とする、請求項１又は２に記載の締付バンド装置。
【請求項４】
前記第１留金具および前記第２留金具は、それぞれ前記連結板部を前記固定板部から一段低く段状に屈曲させて連設した補強形状にしてなることを特徴とする、請求項１、２又は３に記載の締付バンド装置。
【発明の詳細な説明】
【技術分野】
【０００１】
本発明は、ドラム缶・ペール缶など蓋付円筒容器において、有底円筒状の器本体の開口縁に蓋の周縁を挟んで有端環状の締付用リングを巻き付け、そのリングを、締付レバーを用いて締め込んで器本体に蓋を締結する締付バンド装置に関する。
【背景技術】
【０００２】
一般に、蓋付円筒容器の中で、例えばオープンドラムと呼ばれるドラム缶は、有底円筒状の缶本体と、缶本体の上端開口に被せる蓋とを備えると共に、缶ごとに１つ１つ蓋を缶本体に締結するために締付バンド装置を備付け、輸送時や保管時は、缶本体内に内容物を収納してから、蓋を被せて器本体の上端開口を塞いだ後、備付けの締付バンド装置を使って蓋を缶本体に締結して密封するようになっている。
【０００３】
従来、この種の締付バンド装置は、例えば図１８および図１９に示すように、ドラム缶本体の開口縁に蓋ｔの周縁を挟んで巻き付ける有端環状のリング１と、リング１の自由端１ａ・１ｂに、それら端部間を跨いで取り付けてリング１を締め込む締付金具２を備え、締付金具２は、リング１の一側自由端１ａの固定金具３ａに先端４ａを回動自在に軸着したレバー４と、基端５ａをレバー４の先端４ａ寄りの途中に軸着すると共に先端５ｂをリング１の他側自由端１ｂの固定金具３ｂに軸着したリンク５とで構成している。リング１には、レバー４を掛け止めるコ形状の掛止金具６を固着し、レバー４を一方向に回動すると、図１８に示すように、リング１の自由端１ａ・１ｂ間が押し拡がる一方、他方向に回動すると、図１９に示すように、リンク５により他側自由端１ｂを一側自由端１ａに引き寄せてリング１を締め込む構造になっている。
【０００４】
そこで、従来の締付バンド装置ｂは、ドラム缶の輸送時や保管時に使用するときは、蓋ｔを被せて缶本体の上端開口を塞いだ後、締付金具２のレバー４を一方向に回動してリング１の自由端１ａ・１ｂ間を押し拡げて、リング１を缶本体の開口縁と蓋ｔの周縁との合わせ目に沿って巻き付け、しかる後、レバー４を他方向に回動し、リンク５によりリング１の他側自由端１ｂを一側自由端１ａに引き寄せてリング１を締め付け、その締付状態において、不図示の止め具を、レバー４の止め穴７と掛止金具６の通し穴６ａに貫挿して締付金具２をロックし、リング１の締付状態を保持して蓋ｔを缶本体に締結している（特許文献１参照）。
【０００５】
その後、従来の締付バンド装置ｂは、蓋ｔの締結状態でドラム缶に装置全体を装着したまま、例えば搬送先へ輸送され、到着した搬送先では、締付金具２のロックを解除して後に、締付金具２のレバー４を他方向に回動して自由端１ａ・１ｂ間を押し拡げてリング１の締め付けを緩めてから、装置全体をドラム缶から取り外して蓋ｔを開けるようになっている。
【先行技術文献】
【特許文献】
【０００６】
【特許文献１】特開２０００−１６４４７号公報
【特許文献２】特開平６  −２９８２６６号公報
【発明の概要】
【発明が解決しようとする課題】
【０００７】
ところが、上述のような従来の締付バンド装置ｂは、締付金具２でリング１を締め付けて蓋ｔを缶本体に締結した後も、搬送先や保管場所で蓋ｔを再び開ける迄の間、リング１の締付状態を保持するために装置の全体をドラム缶に装着する必要がある構成になっている。従って、ドラム缶などの蓋付円筒容器には、その数が、たとえ膨大であっても、容器単位に蓋を締め付ける締付バンド装置を備える必要があるため、それら容器と同じ膨大な数だけフル装備の締付バンド装置が必要になる結果、その締付バンド装置の数量に対応する莫大なコストがかかるという課題があった。
【０００８】
しかも、従来の締付バンド装置ｂは、蓋付円筒容器を輸送したり保管したりする間も、その容器に装着状態にあるため、締付金具２の締付操作用レバー４を不法に回動操作し、リング１の締め付けを緩めて蓋ｔを開けられる虞があり、防犯性に欠けるという課題があった。
【０００９】
そこで、本発明は、上述のような課題を解決し、ドラム缶などの蓋付円筒容器において、締付バンド装置に費やすコストを飛躍的に低減し、併せて、防犯性を高めることを目的とする。
【課題を解決するための手段】
【００１０】
そこで、本発明の目的を達成すべく、請求項１に記載の発明の締付バンド装置Ａは、たとえば以下に示す図示実施の形態のとおり、ドラム缶Ｄなど蓋付円筒容器の器本体の開口縁に蓋４５の周縁を挟んで巻き付ける有端環状のリング１０、該リング１０の一側自由端１０ａに固定した第１留金具２０および他側自由端１０ｂに固定した第２留金具３０からなる締付バンドＢと、締付レバー１５および該締付レバー１５の先端寄りのヒンジ部２９に回動自在に枢着したリンク２５からなる締付操作金具Ｃとの２体に分割し、第１留金具２０は、前記リング１０の一側自由端１０ａに固定する固定板部２０ａと前記操作レバー１５の先端１５ａを連結する連結板部２０ｂからなり、該連結板部２０ｂに連結穴ｘを設ける一方、該連結穴ｘに嵌脱自在に嵌合する連結ピンｙを前記締付レバー１５の先端１５ａに立設し、第２留金具３０は、前記リング１０の他側自由端１０ｂに固定する固定板部３０ａおよび前記リンク２５の先端２５ｂを掛け止める掛止め板部３０ｂからなり、該掛止め板部３０ｂに掛止め穴ｍを設け、該掛止め穴ｍに嵌脱自在に嵌合する掛止めピンｎを前記リンク２５の先端２５ｂに立設し、それら穴とピンの嵌め合いで前記締付バンドＢに対して前記締付操作金具Ｃを着脱自在に取り付けると共に、第１留金具２０の前記連結板部２０ｂ又は第２留金具３０の掛止め板部３０ｂのいずれかに掛止凹部ｗを設ける一方、他方には、該掛止凹部ｗにフック部３５ａを掛けて前記締付バンドＢをロックするロックアーム３５のようなロック部材を回動自在に枢着し、該ロック部材で前記締付バンドＢをロックすると、該締付バンドＢから前記締付操作金具Ｃを穴とピンの嵌め合いを外して取り外し可能にすると共に、前記ロック部材の掛止凹部ｗにボルト支持部分２０ｃを設ける一方、該掛止凹部ｗに前記ロック部材のフック部３５ａを掛けて前記締付バンドＢの締付状態をロックしたとき、前記ボルト支持部分２０ｃと前記フック部３５ａを締付ボルト５０で螺着して前記締付バンドＢを更に締め足してなることを特徴とする。
【００１１】
請求項２に記載の発明の締付バンド装置Ａ′は、たとえば以下に示す図示実施の形態のとおり、ドラム缶Ｄなど蓋付円筒容器の器本体の開口縁に蓋４５の周縁を挟んで巻き付ける有端環状のリング１０、該リング１０の一側自由端１０ａに固定した第１留金具２０および他側自由端１０ｂに固定した第２留金具３０からなる締付バンドＢと、締付レバー１５および該締付レバー１５の先端１５ａのヒンジ部２９に回動自在に枢着したリンク２５からなる締付操作金具Ｃ′との２体に分割し、第１留金具２０は、前記リング１０の一側自由端１０ａに固定する固定板部２０ａと前記リンク２５の先端２５ｂを連結する連結板部２０ｂからなり、該連結板部２０ｂに連結穴ｘを設ける一方、前記リンク２５には、該連結穴ｘに嵌脱自在に嵌合する連結ピンｙを先端２５ｂに立設し、第２留金具３０は、前記リング１０の他側自由端１０ｂに固定する固定板部３０ａおよび前記締付レバー１５の先端を掛け止める掛止め板部３０ｂからなり、該掛止め板部３０ｂに掛止め穴ｍを設け、前記締付レバー１５には、該掛止め穴ｍに嵌脱自在に嵌合する掛止めピンｎを先端寄りの途中部位に立設し、それら穴とピンの嵌め合いで前記締付バンドＢに対して前記締付操作金具Ｃ′を着脱自在に取り付けると共に、第１留金具２０の前記連結板部２０ｂ又は第２留金具３０の掛止め板部３０ｂのいずれかに掛止凹部ｗを設ける一方、他方には、該掛止凹部ｗにフック部３５ａを掛けて前記締付バンドＢをロックするロックアーム３５のようなロック部材を回動自在に枢着し、該ロック部材で前記締付バンドＢをロックすると、該締付バンドＢから前記締付操作金具Ｃ′を穴とピンの嵌め合いを外して取り外し可能にしてなることを特徴とする。
【００１２】
請求項３に記載の発明は、請求項１又は２に記載の発明の締付バンド装置Ａ・Ａ′において、たとえば以下に示す図示実施の形態のとおり、ロックアーム３５のような前記ロック部材は、前記第１留金具２０の前記連結板部２０ｂ又は前記第２留金具３０の掛止め板部３０ｂに着脱自在に取り付けてなることを特徴とする。
【００１４】
請求項４に記載の発明は、請求項１、２、又は３に記載の発明の締付バンド装置Ａ・Ａ′において、たとえば以下に示す図示実施の形態のとおり、前記第１および第２留金具２０・３０は、それぞれ前記連結板部２０ｂ・３０ｂを前記固定板部２０ａ・３０ａから一段低く段状に屈曲させて連設した補強形状にしてなることを特徴とする。
【発明の効果】
【００１５】
請求項１、２に記載の発明によれば、締付バンドと締付操作金具の２体に分割し、締付バンドに対して締付操作金具を穴とピンの嵌め合いで着脱自在に取り付け、締付バンドの締付状態をロック部材でロックした後に、穴とピンの嵌め合いを外して締付バンドから締付操作金具を取り外し、締付バンドはそのまま締付状態でドラム缶など蓋付きの円筒容器に装着して蓋を堅締する一方、締付操作金具は、他の円筒容器に被せる蓋を締結するために繰り返し使用することができ、その結果、円筒容器の数が、たとえ膨大であっても、締付操作金具は１つで済むために、円筒容器の数だけ締付操作金具が大幅に削減され、その結果、使用する円筒容器の数が膨大であればあるほど、装置全体に費やされるコストを飛躍的に低減することができる。
【００１６】
しかも、請求項１、２に記載の発明によれば、締付操作金具で締付バンドを締め込んで蓋を器本体に緊締すると、ロック部材のフック部を第１又は第２の留金具の掛止凹部に掛け止めて締付バンドの締付状態をロックする一方、締付レバーを含む締付操作金具は、締付バンドから取り外し、ドラム缶など蓋付きの円筒容器には締付バンドだけを装着して蓋を堅締する構成であるため、たとえ不法に蓋を開けて器本体内の内容物を盗取しようとしても、肝心なる操作用の締付レバーがない以上、締付バンドによる固い締め付けを緩めて蓋を開けることは、簡単ではなく、それだけ防犯性を高めることができる。加えて、特に請求項１に記載の発明によれば、締付操作金具を使って締付バンドを一度締め込んでロック部材でロックしてから、更に、締付ボルトのねじ込みでリングの両側自由端を引き寄せて締付バンドの締め付けを強めることにより、その締付バンドの締付強さを積み増した分だけ蓋を器本体により強く緊締してドラム缶等の円筒容器を一層確実に密封することができる。
【００１７】
請求項３に記載の発明によれば、加えて、締付バンドの締付状態をロックするロック部材をも、第１留金具の連結板部又は第２留金具の掛止め板部に着脱自在に取り付ける構成であるから、ドラム缶など多数の蓋付円筒容器に対応した同じ数の締付バンド装置の全てに取り付けず、蓋を締結するために締付バンドの締付状態をロックする必要があるときにだけ、ロック部材を締付バンドに取り付けて使用することができるため、そのように必要な数だけロック部材を揃えればよく、その分だけ部品点数が大幅に削減され、その結果、締付バンド装置全体に費やされるコストを更に飛躍的に低減することができる。
【００１９】
請求項４に記載の発明によれば、第１留金具および第２留金具を、それぞれ連結板部が固定板部から一段低く段状に屈曲して連設した補強形状にすることにより、例えば段積み状態のドラム缶等の円筒容器の蓋を締付バンドで締着する場合など、連結板部に上から負荷を受けて締付バンドが変形するのを防止することができる。
【図面の簡単な説明】
【００２０】
【図１】本発明の一例である締付バンド装置の締付バンド装置を締付バンドから締付操作金具を分離した状態で示す組立斜視図である。
【図２】締付バンド装置の分解斜視図である。
【図３】締付操作金具の締付レバーとリンクの連結構造を示す部分拡大平面図である。
【図４】締付操作金具の締付レバーとリンクの連結構造を示す部分拡大断面図である。
【図５】リングを缶本体の開口縁に蓋の周縁を挟んで巻き付けた締付バンドの装着状態を示す平面図である。
【図６】締付バンドに締付操作金具を連結した状態を示す平面図である。
【図７】締付操作金具の締付レバーを回動してリングを締め付けた状態を示す平面図である。
【図８】締付レバーを回動してリンクでリングを締め込む状態を拡大して示す部分拡大平面図である。
【図９】締付バンドの締付状態をロックアームでロックした状態を示す部分拡大平面図である。
【図１０】締付バンドで蓋を締結した状態のドラム缶を示す外観斜視図である。
【図１１】他例の締付バンド装置に備えた締付操作金具を示す斜視図である。
【図１２】他例の締付バンド装置を締付バンドに締付操作金具を連結した状態で示す平面図である。
【図１３】他例の締付バンド装置を締付レバーを回動してリングを締め込む状態で示す平面図である。
【図１４】締め足し手段を備えた第１留金具とロックアームを示す分解斜視図である。
【図１５】ロックアームのフック部のねじ穴に締付ボルトをねじ込む状態を示す部分拡大平面図である。
【図１６】ロックアームのフック部と第１留金具のボルト支持部分を締付ボルトで螺着して締付バンドの締め足し状態を示す部分拡大平面図である。
【図１７】（Ａ）は締付バンドの第１および第２留金具に上から負荷がかかる状態を示す縦断面図、（Ｂ）は第１および第２留金具が補強形状の締付バンドで段積み状態のドラム缶の蓋を締着した状態を示す縦断面図である。
【図１８】（Ａ）は従来の締付バンド装置を締付レバーが開いた状態で示す正面図、（Ｂ）は平面図である。
【図１９】（Ａ）は従来の締付バンド装置を締付レバーが閉じた状態で示す正面図、（Ｂ）は平面図である。
【発明を実施するための形態】
【００２１】
以下、図面を参照しつつ、本発明の実施の形態について説明する。
【００２２】
図１は本発明の一例である締付バンド装置の組立斜視図、図２は分解斜視図である。図示締付バンド装置Ａは、蓋付円筒容器の中で、オープンドラムと呼ばれるドラム缶に適用し、いずれも鋼製の、ドラム缶の上端周縁に巻装する締付バンドＢと、締付バンドＢを締め込む締付操作金具Ｃの２体に、それぞれユニット化して分割した構成になっている。
【００２３】
締付バンドＢは、有端環状のリング１０と、リング１０の一側自由端１０ａに固定する第１留金具２０と、他側自由端１０ｂに固定する第２留金具３０と、第２留金具３０に連結するロックアーム（ロック部材）３５とからなる。
【００２４】
リング１０は、ドラム缶の有底円筒状をなす缶本体の開口縁（リム）に合わせて断面円弧状に屈曲し、周方向には有端環状に曲げて形成してなる。第１留金具２０は、鋼板等の金属平板を曲げて、リング１０に固定する固定板部２０ａと、締付操作金具Ｃの締付レバー１５の先端１５ａを連結する連結板部２０ｂとに一体に成形してなる。固定板部２０ａは、リング１０の外形状に合わせて断面円弧状に曲げ成形する一方、連結板部２０ｂは、図２に示すように、一側縁に対し他側縁にテーパ１１を付けて固定板部２０ａから台形状に延びる胸部に連結穴ｘを穿設し、その胸部から段差を付けて曲げ延びる頭部に嘴状部分１２を突設して嘴状部分１２とテーパ１１間に掛止凹部ｗを形成し、掛止凹部ｗの横には、雌ねじ穴のロック穴１３を穿設してなる。かかる形状の第１留金具２０は、図１に示すように、連結板部２０ｂをリング１０の内側に向けて、固定板部２０ａを一側自由端１０ａに嵌め合わせてリング１０に溶接してなる。なお、第１留金具２０に設ける連結穴ｘは、固定板部２０ａをリング１０に固定した状態のときにリング１０寄りの位置に穿設するのが好ましい。
【００２５】
第２留金具３０は、鋼板等の金属平板を曲げて、リング１０に固定する固定板部３０ａと、締付操作金具Ｃのリンク２５の先端２５ａを掛け止める掛止め板部３０ｂとに一体に成形してなる。固定板部３０ａは、リング１０の外形状に合わせて断面円弧状に曲げ成形する一方、掛止め板部３０ｂは、直線の一側縁に対し他側縁をＵ状に切り欠いて掛止め穴ｍを固定板部３０ａから延びる胸部に凹設し、その胸部から段差を付けて曲げ延びる頭部にピン穴１４を穿設してなる。かかる形状の第２留金具３０は、図１に示すように、掛止め板部３０ｂをリング１０の内側に向け、掛止め穴ｍは掛止凹部ｗと逆に向けて、固定板部３０ａを他側自由端１０ｂに嵌め合わせてリング１０に溶接する。
【００２６】
ロックアーム３５は、鋼板製細長板片で、図２に示すように、基端に、枢着ピン１６が連通する第２留金具３０のピン穴１４に合わせて、軸穴２６を穿設する一方、先端をＬ型に曲げ延ばしてフック部３５ａを形成すると共に、フック部３５ａ寄りには、止めねじ２７が連通する第１留金具２０のロック穴１３に合わせてねじ挿通穴２３を穿設してなる。更に、ねじ挿通穴２３の横の側縁には、Ｌ型に曲げ延びる摘み部３５ｂを形成してなる。かかる形状のロックアーム３５は、枢着ピン１６を軸穴２６とピン穴１４に貫挿してから、ピン先端をカシメて、枢着ピン１６を中心として回動自在に第２留金具３０に枢着し、先端のフック部３５ａを、第１留金具２０の掛止凹部ｗに対して係脱自在とする。
【００２７】
締付操作金具Ｃは、締付レバー１５と、締付レバー１５の先端１５ａ寄りのヒンジ部２９に基端２５ａを枢着したリンク２５とからなる。締付レバー１５は、細長い鋼板製バーをリング１０に合わせて円弧状に屈曲させて形成し、ヒンジ部２９に軸挿通穴３３を穿設すると共に、先端１５ａに、連結ピンｙを軸支する軸穴３４を穿設してなる。連結ピンｙは、頭部上に取付用小突起３６ａを凸設し、小突起３６ａを軸穴３４に嵌め込んでから、例えばカシメることにより締付レバー１５の一側面の先端１５ａに立設してなる。
【００２８】
リンク２５は、締付レバー１５のヒンジ部２９と先端１５ａ間の長さより長い細長鋼板片からなり、基端２５ａに継手ピン３７のピン挿通穴３８を穿設すると共に先端２５ｂに掛止めピンｎを軸支する軸穴３９を穿設してなる。継手ピン３７は、軸部３７ａに雌ねじ穴３７ｂが軸方向に螺設されている。掛止めピンｎは、鍔状頭部４１ａ上に取付用小突起４１ｂを有し、その小突起４１ｂを軸穴３９に嵌め込んでから、例えばカシメることによりリンク２５の一側面の先端２５ｂに立設してなる。
【００２９】
そこで、締付操作金具Ｃは、図３および図４でも示すように、ヒンジ部２９において、継手ピン３７の軸部３７ａを、ピン挿通穴３８、軸挿通穴３３およびＯリング４２に挿通してから、雌ねじ穴３７ｂにねじ４３をねじ込んでリンク２５を回動自在に締付レバー１５に連結することにより組み立ててなる。図示締付バンド装置Ａは、使用時、蓋を被せた缶本体の開口縁と蓋の周縁との合わせ目に沿ってリング１０を嵌めて巻き付けて締付バンドＢを装着する。一方、第１留金具２０の連結穴ｘに締付レバー１５の連結ピンｙを嵌め込む一方、第２留金具３０の掛止め穴ｍにリンク２５の掛止めピンｎを嵌め込み、これら穴とピンの嵌め合いで、締付バンドＢに対して締付操作金具Ｃを着脱自在に取り付ける構成になっている。
【００３０】
さて、上述した構成の締付バンド装置１０を用いて、図１０に示すように、ドラム缶Ｄの缶本体４０に被せた蓋４５を缶本体４０に締結する手順を、以下に説明する。
【００３１】
まず、締付バンドＢを用い、図１および図５に示すように、蓋４５を被せた缶本体４０の開口縁と蓋の周縁との合わせ目に沿って、リング１０を嵌めて巻き付けることにより締付バンドＢをドラム缶Ｄに巻装する。次いで、締付操作金具Ｃを用い、締付レバー１５の連結ピンｙを、締付バンドＢの第１留金具２０の連結穴ｘに嵌め込む一方、リンク２５の掛止めピンｎを、第２留金具３０の掛止め穴ｍに嵌め込み、これら穴とピンの嵌め合いにより、図６に示すように、締付操作金具Ｃを、締付レバー１５とリンク２５でリング１０の自由端１０ａ・１０ｂ間を跨いで、締付バンドＢに対して着脱自在に連結する。それから、締付レバー１５をリング１０の径方向外側へ回動し、図７に示すように閉める。すると、締付操作金具Ｃは、締付レバー１５に対するリンク２５のリンク運動に従い、リング１０の他側自由端１０ｂを一側自由端１０ａに引き寄せて締付バンドＢを締め込み、蓋４５を缶体４０に固く締結してドラム缶Ｄを密封する。
【００３２】
次いで、図示締付バンド装置Ａは、そのように締付操作金具Ｃで締付バンドＢを締め込んで蓋４５を缶本体４０に緊締すると、図８に示すようにロックアーム３５を回動し、フック部３５ａを、鎖線で示すように第１留金具２０の掛止凹部ｗに掛け止めて締付バンドＢの締付状態をロックする。それから、止めねじ２７を、ロックアーム３５のねじ挿通穴２３に通して第１留金具２０のロック穴１３にねじ込み、図９に示すように、ロックアーム３５を第１および第２留金具２０・３０に締着して締付バンドＢの締付状態を固くロックする。
【００３３】
こうして締付バンドＢの締付状態をロックし終ると、図示締付バンド装置Ａは、締付レバー１５の連結ピンｙを第１留金具２０の連結穴ｘから引く抜き、リンク２５の掛止めピンｎを第２留金具３０の掛止め穴ｍから引き抜いて、締付バンドＢから、締付操作金具Ｃを取り外す。
【００３４】
その後、図示締付バンド装置Ａは、図１０に示すように、ロックアーム３５で締付状態をロックした締付バンドＢが蓋４５を堅締してドラム缶Ｄを密封し、締付バンドＢは、そのドラム缶Ｄに装着したまま、その輸送や保管のために使用する。一方、締付バンドＢから外した締付操作金具Ｃは、他のドラム缶の蓋を締め付けるために繰り返し使用する。即ち、締付操作金具Ｃは、他のドラム缶の上端周縁に巻装した他の締付バンド装置の締付バンドに、同じように、穴とピンの嵌め合いで連結して締付バンドを締め込んで蓋を缶本体に締結する。
【００３５】
従って、図示締付バンド装置Ａによれば、締付バンドＢと締付操作金具Ｃの２体に分割し、締付バンドＢに対して締付操作金具Ｃを穴とピンの嵌め合いで着脱自在に取り付け、締付バンドＢの締付状態をロックアーム３５でロックした後に、締付レバー１５の連結ピンｙを第１留金具２０の連結穴ｘから引く抜き、リンク２５の掛止めピンｎは第２留金具３０の掛止め穴ｍから引き抜いて、締付バンドＢから締付操作金具Ｃを取り外し、締付バンドＢはそのまま締付状態でドラム缶に装着して蓋４５を堅締する一方、締付操作金具Ｃは、他のドラム缶に被せる蓋を締結するために繰り返し使用することがで、それ故、ドラム缶の数が、たとえ膨大であっても、締付操作金具は１つで済み、そのため、ドラム缶の数だけ締付操作金具が大幅に削減され、その結果、使用するドラム缶の数が膨大であればあるほど、装置全体に費やされるコストを飛躍的に低減することができる。
【００３６】
しかも、図示締付バンド装置Ａは、締付操作金具Ｃで締付バンドＢを締め込んで蓋４５を缶本体４０に緊締すると、ロックアーム３５のフック部３５ａを第１留金具２０の掛止凹部ｗに掛け止めて締付バンドＢの締付状態をロックする一方、締付レバー１５を含む締付操作金具Ｃは、締付バンドＢから取り外し、ドラム缶には締付バンドＢだけを装着して蓋４５を堅締する構成であるため、たとえ不法に蓋４５を開けて缶本体内の内容物を盗取しようとしても、肝心なる操作用の締付レバー１５がない以上、締付バンドＢによる固い締め付けを緩めて蓋４５を開けることは、簡単ではなく、それだけ防犯性を高めることができる。
【００３７】
次いで、図示締付バンド装置Ａは、締付操作金具Ｃで締付バンドＢを締め込んで蓋４５を缶本体４０に締結すると、止めねじ２７を、ロックアーム３５のねじ挿通穴２３に通して第１留金具２０のロック穴１３にねじ込んでロックアーム３５を留金具２０・３０に締着することにより締付バンドＢの締め付けを固くロックする構造であった。しかし、本発明は、そのようなねじ止めに限らず、ボルト止めやリベット止め等の他の各種固定手段を用いてロックしてもよく、更には、例えば錠前手段等を用いてロックアームを施錠する手段などを講じてより防犯性を高めるようにすることもできる。
【００３８】
ところで、上述した図示締付バンド装置Ａは、締付バンドＢの第１留金具２０に設ける連結穴ｘに締付レバー１５の連結ピンｙを嵌合する一方、第２留金具に設ける掛止め穴ｍにリンク２５の掛止めピンｎを嵌合して締付操作金具Ｃを締付バンドＢに着脱自在に取り付け、蓋４５を缶体４０に締結するときに締付レバー１５をリング１０の径方向外側に回動してリング１０を締め込む構成であった。しかし、本発明では、以下の図示他例のように、反対に、締付レバー１５をリング１０の径方向内側に回動してリング１０を締め込む構成とし、これにより、同じように蓋４５を缶体４０に締結するようにしてもよい。
【００３９】
図示他例の締付バンド装置では、図１１に示すように、締付操作金具Ｃ′は、締付レバー１５を細長い直線状の鋼板製バーで形成し、その先端１５ａ寄りの途中部位に掛止めピンｎを立設する一方、先端１５ａにヒンジ部２９を形成し、ヒンジ部２９に枢着した継手ピン３７でリンク基端２５ａを枢支してリンク２５を回動自在に連結した構成にする。一方、リンク２５は、その先端２５ｂに連結ピンｙを、掛止めピンｎと同じ向きに立設する。
【００４０】
図示他例の締付バンド装置Ａ′は、図１２でも示すように、蓋４５を被せた缶本体の開口縁と蓋の周縁との合わせ目に沿ってリング１０を巻き付けて締付バンドＢを巻装する一方、第１留金具２０の連結穴ｘにリンク２５の連結ピンｙを嵌め込む一方、第２留金具３０の掛止め穴ｍに締付レバー１５の掛止めピンｎを嵌め込み、これら穴とピンの嵌め合いで締付バンドＢに対して締付操作金具Ｃ′を着脱自在に取り付ける構成にする。
【００４１】
そこで、図示他例の締付バンド装置Ａ′では、使用時、締付操作金具Ｃを、締付レバー１５とリンク２５でリング１０の自由端１０ａ・１０ｂ間を跨いで、締付バンドＢ対して穴とピンの嵌め合いで連結し、次いで、締付レバー１５をリング１０の径方向内側に回動する。すると、締付操作金具Ｃ′は、図１３に示すように、締付レバー１５に対するリンク２５のリンク運動に従い、リング１０の一側自由端１０ａが他側自由端１０ｂに引き寄せられて締付バンドＢを締め込み、これにより、蓋４５を缶体４０に締結する。
【００４２】
上述した図示締付バンド装置Ａ・Ａ′では、第１留金具２０の連結板部２０ｂに掛止凹部ｗを設ける一方、第２留金具３０の掛止め板部３０ｂにロックアーム３５を枢着した構成であった。しかし、本発明では、図示省略するが、反対に、第２留金具３０の掛止め板部３０ｂに掛止凹部を設ける一方、第１留金具２０の連結板部２０ｂにロックアーム３５を枢着した構成にしてもよい。従って、この変形例では、締付操作金具Ｃで締付バンドＢを締め込んで蓋４５を缶本体４０に締結すると、ロックアーム３５を回動し、フック部３５ａを第２留金具３０の掛止凹部に掛け止めて締付バンドＢの締付状態をロックする。
【００４３】
上述した図示実施の形態では、締付バンド装置Ａ・Ａ′において、ロックアームを、第１留金具２０の連結板部２０ｂ又は第２留金具３０の掛止め板部３０ｂに枢着ピン１６で軸支して回動自在に枢着する例を示したが、本発明では、図示しないが、例えば穴とピンの嵌め合いで、第１留金具の連結板部又は第２留金具の掛止め板部に、着脱自在に取り付ける構成にすることもできる。
【００４４】
従って、図示他例によれば、ロックアーム３５が締付バンドＢに対し着脱自在であることにより、多数のドラム缶Ｄに対応した同じ数の締付バンド装置Ａ・Ａ′の全てに取り付けず、蓋４５を締結するために締付バンドＢの締付状態をロックする必要があるときにだけ、ロックアーム３５を締付バンドＢに取り付けて使用することができるため、そのように必要な数だけロックアーム３５を揃えればよいので、その分だけ部品点数が大幅に削減され、その結果、締付バンド装置全体に費やされるコストを更に飛躍的に低減することができる。
【００４５】
上述した締付バンド装置Ａ・Ａ′の例では、締付バンドＢは、第１および第２留金具２０・３０を、それらの連結板部２０ｂおよび掛止め板部３０ｂをリング１０の内側に向けてリング１０に固定したが、本発明では、反対に、第１および第２留金具をそれらの連結板部および掛止め板部がリングの外側に向くようにリングに固定する構成にすることもできる。
【００４６】
ところで、上述した締付バンド装置Ａ・Ａ′では、図８および図９に示すように、締付操作金具Ｃで締付バンドＢを締め込んだ後、ロックアーム３５のフック部３５ａを第１留金具２０の掛止凹部ｗに掛け止めて締付バンドＢの締付状態をロックし、これにて締付バンドＢによる蓋４５に対する締め付けを終える構成にした。しかし、本発明の締付バンド装置では、図１４〜図１６に示すように、ロックアーム３５のフック部３５ａを第１留金具２０の掛止凹部ｗに掛け止めて締付バンドＢの締付状態をロックした後に、更に締付バンドＢを締め足して蓋４５に対する締付強さを補足する締め足し手段を備えた構成にすることもできる。
【００４７】
そのため、締め足し手段は、図１４に示すように、締付ボルト５０を備える一方、第１留金具２０の連結板部２０ｂにおいて嘴状部分１２とテーパ１１間で掛止凹部ｗに、略直角に屈曲して中心に円形のボルト受け凹部４８を凹設した板状のボルト支持部分２０ｃを設ける一方、ロックアーム３５のフック部３５ａにねじ穴４９を設ける構成にする。
【００４８】
そこで、図示他例の締付バンド装置は、使用時、前述のように締付操作金具Ｃで締付バンドＢを締め込んでから、ロックアーム３５のフック部３５ａを第１留金具２０の掛止凹部ｗに掛け止めて締付バンドＢの締付状態をロックした後に、フック部３５ａのねじ穴４９に、図１５に示すように締付ボルト５０を螺合し、そのねじ部５０ａの先端をボルト支持部分２０ｃのボルト受け凹部４８に嵌め入れて案内しながら、締付ボルト５０をねじ込んでフック部３５ａをボルト支持部分２０ｃに螺着し、その締付ボルト５０のねじ込み量に応じてリング１０の両側自由端１０ａ・１０ｂを、図１６に示すように引き寄せて締付バンドＢの締め付けを強める。
【００４９】
従って、図示他例の締付バンド装置によれば、締付操作金具Ｃを使って締付バンドＢを一度締め込んでロックアーム３５でロックしてから、更に、締付ボルト５０のねじ込みでリング１０の両側自由端１０ａ・１０ｂを引き寄せて締付バンドＢの締め付けを強めることにより、締付バンドＢの締付強さを積み増した分だけ蓋４５を缶体４０により強く緊締してドラム缶Ｄを一層確実に密封することができる。
【００５０】
なお、図示他例の締付バンド装置では、図１４に示すように、第１留金具２０のボルト支持部分２０ｃと、ロックアーム３５のフック部３５ａの折曲角部分に補強リブｒを設けて補強し、これにより、繰り返し締付ボルト５０のねじ込み負荷の加わる第１留金具２０とロックアーム３５が変形するのを防止している。また、ロックアーム３５は、そのアーム本体部３５ｃにも、図示しないが、軸穴２６と挿通穴２３間に筋状に補強リブを設けて補強するようにするとよい。
【００５１】
さて、以上の締付バンド装置は、第１および第２留金具２０・３０がそれぞれ連結板部２０ｂ・３０ｂを固定板部２０ａ・３０ａから略フラットに延ばした形状であったが、第１および第２留金具２０・３０がそのような形状であると、例えば他のドラム缶を上に載せて段積みする下段のドラム缶Ｄの蓋４５を締付バンドＢで締着する場合に、連結板部２０ｂ・３０ｂに上段のドラム缶が押し当たり、図１７（Ａ）に示すように負荷Ｆが加わると、締付バンドＢが変形してしまうおそれがある。
【００５２】
そこで、本発明による締付バンド装置は、図１７（Ｂ）に示すように、第１および第２留金具２０・３０を、それぞれ連結板部２０ｂ・３０ｂが固定板部２０ａ・３０ａから一段低く段状に屈曲して連設した補強形状にすることにより、例えば段積み状態のドラム缶Ｄの蓋４５を締付バンドＢで締着する場合など、連結板部２０ｂ・３０ｂに上から負荷を受けて締付バンドＢが変形するのを防止することができる。
【符号の説明】
【００５３】
Ａ・Ａ′        締付バンド装置
Ｂ              締付バンド
Ｃ・Ｃ′        締付操作金具
Ｄ              ドラム缶（蓋付円筒容器）
ｍ              掛止め穴
ｎ              掛止めピン
ｗ              掛止め凹部
ｘ              連結穴
ｙ              連結ピン
１０            リング
１０ａ          一側自由端
１０ｂ          他側自由端
１５            締付レバー
２０            第１留金具
２０ａ・３０ａ  固定板部
２０ｂ          連結板部
２５            リンク
２９            ヒンジ部
３０            第２留金具
３０ｂ          掛止め板部
３５            ロックアーム（ロック部材）
３５ａ          フック部
４０            缶体（器本体）
４５            蓋
５０            締付ボルト
【図１】
0005417140.tif 000002
【図２】
0005417140.tif 000003
【図３】
0005417140.tif 000004
【図４】
0005417140.tif 000005
【図５】
0005417140.tif 000006
【図６】
0005417140.tif 000007
【図７】
0005417140.tif 000008
【図８】
0005417140.tif 000009
【図９】
0005417140.tif 000010
【図１０】
0005417140.tif 000011
【図１１】
0005417140.tif 000012
【図１２】
0005417140.tif 000013
【図１３】
0005417140.tif 000014
【図１４】
0005417140.tif 000015
【図１５】
0005417140.tif 000016
【図１６】
0005417140.tif 000017
【図１７】
0005417140.tif 000018
【図１８】
0005417140.tif 000019
【図１９】
0005417140.tif 000020